(57)【要約】【課題】  レンズの可動域が広く、合焦操作を常に容易に行うことのできる拡大鏡装置を提供することを課題とする。【解決手段】  頭部に装着するための装着体１と、対象物を拡大視するためのレンズ２と、装着体１にレンズ２を支持する支持部材５とからなる。支持部材５は、装着体１に取り付けられる取付部５３と、取付部５３に対して少なくともスライド又は回転可能なように設けられレンズ２の前後左右方向の位置を可変するスライド回転機構５１と、スライド回転機構５１に連続して設けられ装着体１に対して起伏してレンズ２の前後方向の角度を可変する起伏機構５２とを備えている。【選択図】  図１
2006113332.tif 000002
【特許請求の範囲】
【請求項１】
頭部に装着するための装着体と、対象物を拡大視するためのレンズと、前記装着体に前記レンズを支持する支持部材と、からなる拡大鏡装置において、
前記支持部材は、前記装着体に取り付けられる取付部と、
前記取付部に対して少なくともスライド又は回転可能なように設けられ前記レンズの前後左右方向の位置を可変するスライド回転機構と、
前記スライド回転機構に連続して設けられ前記装着体に対して起伏して前記レンズの前後方向の角度を可変する起伏機構と、
を備えたことを特徴とする拡大鏡装置。
【請求項２】
請求項１記載の拡大鏡装置において、レンズは支持部材に対して着脱可能であることを特徴とする拡大鏡装置。
【請求項３】
請求項２記載の拡大鏡装置において、レンズは双眼形で支持部に対して回止めされる抜差し構造で着脱可能であることを特徴とする拡大鏡装置。
【請求項４】
請求項２記載の拡大鏡装置において、レンズは単眼形で支持部に対して回転可能な抜差し構造で着脱可能であることを特徴とする拡大鏡装置。
【請求項５】
請求項１〜４のいずれか記載の拡大鏡装置において、支持部材は、対象物を照射する照射器と、前記装着体に対して変向して照明器の照射方向を可変とする変向機構と、を備えたことを特徴とする拡大鏡装置。
【請求項６】
請求項５記載の拡大鏡装置において、照明器は支持部材に対して着脱可能に設けられたことを特徴とする拡大鏡装置。
【請求項７】
請求項１〜６のいずれか記載の拡大鏡装置において、装着体が棒線材で形成されていることを特徴とする拡大鏡装置。
【発明の詳細な説明】
【技術分野】
【０００１】
本発明は、頭部に装着して近距離にある対象物を拡大視するための拡大鏡装置に係る技術分野に属する。
【背景技術】
【０００２】
頭部装着タイプの拡大鏡装置は、医療，各種製造業を始め精密工芸等の趣味の分野でも広範に使用されているが、対象物に焦点を合わせるために頭部，眼球を煩雑に動かさなければならないものが多い。従って、長時間使用すると相当に疲労してしまうという不具合がある。このため、頭部，眼球を煩雑に動かさずに対象物に正確に焦点を合わせることのできる拡大鏡装置の開発が切望されている。
【０００３】
従来、合焦のための頭部，眼球の動きを軽減することを指向した拡大鏡装置としては、例えば、（特許文献１）に記載のものが知られている。（特許文献１）には、頭部に装着するための装着体と、対象物を拡大視するためのレンズと、装着体にレンズを支持する支持部材とからなる拡大鏡装置が記載されている。
【０００４】
そして、（特許文献１）に係る拡大鏡装置は、支持部に伸縮機構，回動機構を備え、互いに固定された対象物，眼球の位置関係においてレンズの位置を変位させることで、頭部，眼球を煩雑に動かさずに対象物に正確に焦点を合わせることができるようにしている。伸縮機構は、装着体に対し伸縮してレンズの前後方向（頭部の）の位置を可変するものである。回動機構は、装着体に対し回動してレンズの左右方向（頭部の）の位置と前後方向の角度とを可変するものである。
【０００５】
しかしながら、（特許文献１）に係る拡大鏡装置では、支持部材が伸縮機構の先端部に回動機構が設けられた構成とされ、レンズの向きや前後方向の位置を変化させることはできるが、レンズの可動域が狭いため合焦操作できる範囲に限界があるという問題点があった。そして、装着時にレンズを使用しない場合においては、レンズの可動域が狭いために支持部材やレンズが視界を遮ることとなり、拡大鏡装置を頭部から取り外す必要があり面倒であった。また、伸縮機構を伸張させた状態で回動機構を動作させなければならないことがあるため、操作ポイントが頭部から離れてしまい合焦操作が面倒になってしまうことがあるという問題点がある。
【０００６】
【特許文献１】実用新案登録第３０８３４８５号公報
【発明の開示】
【発明が解決しようとする課題】
【０００７】
本発明は、上記従来の状況に鑑み、レンズの可動域が広く、合焦操作を常に容易に行うことのできる拡大鏡装置を提供することを課題とする。
【課題を解決するための手段】
【０００８】
前述の課題を解決するため、本発明に係る拡大鏡装置は、請求項１として、頭部に装着するための装着体と、対象物を拡大視するためのレンズと、前記装着体に前記レンズを支持する支持部材と、からなる拡大鏡装置において、前記支持部材は、前記装着体に取り付けられる取付部と、前記取付部に対して少なくともスライド又は回転可能なように設けられ前記レンズの前後左右方向の位置を可変するスライド回転機構と、前記スライド回転機構に連続して設けられ前記装着体に対して起伏して前記レンズの前後方向の角度を可変する起伏機構と、を備えたことを特徴とする。
【０００９】
上記構成によれば、装着体に取り付けられた支持部材を中心にスライド、回転等の動作を行うことができ、レンズの可動域が広くなる。また、操作ポイントが支持部材の動作がスライド，回転，起伏の組合わせとなって操作ポイントが頭部の近くに集合される。
【００１０】
また、請求項２では、請求項１記載の拡大鏡装置において、レンズは支持部材に対して着脱可能であることを特徴とする。
【００１１】
上記構成によれば、倍率，大きさ等の異なるレンズを交換使用することができる。
【００１２】
また、請求項３では、請求項２記載の拡大鏡装置において、レンズは双眼形で支持部に対して回止めされる抜差し構造で着脱可能であることを特徴とする。
【００１３】
上記構成によれば、双眼形のレンズを支持部に対して容易に着脱することができるとともに、取付けられた双眼形のレンズ上下方向（頭部の）の傾倒を避けることができる。
【００１４】
また、請求項４では、請求項２記載の拡大鏡装置において、レンズは単眼形で支持部に対して回転可能な抜差し構造で着脱可能であることを特徴とする。
【００１５】
上記構成によれば、単眼形のレンズを支持部に対して容易に着脱することができるとともに、取付けられた単眼形のレンズの左右方向の角度を可変することができる。
【００１６】
また、請求項５では、請求項１〜４のいずれか記載の拡大鏡装置において、支持部材は、対象物を照射する照射器と、前記装着体に対して変向して照明器の照射方向を可変とする変向機構と、を備えたことを特徴とする。
【００１７】
上記構成によれば、対象物が照射され使用環境が改善される。また、対象物の位置や、使用するレンズの倍率に応じて照射方向を変えることができる。
【００１８】
また、請求項６では、請求項５記載の拡大鏡装置において、照明器は支持部材に対して着脱可能に設けられたことを特徴とする。
【００１９】
上記構成によれば、照明器を取り外して対象物を照らすことが可能となる。
【００２０】
また、請求項７では、請求項１〜６のいずれか記載の拡大鏡装置において、装着体は大部分が棒線材で形成されていることを特徴とする。
【００２１】
この手段では、装着体が軽量化されるとともに、装着体の頭部への接触面積が削減される。
【発明の効果】
【００２２】
本発明に係る拡大鏡装置は、装着体に取り付けられた支持部材を中心にスライド、回転等の動作を行うことができ、レンズの可動域が広く合焦操作できる範囲が広くなるため、様々な使用環境に応じて用いることが可能となる。レンズの可動域が広いため視界から完全に外すことも可能であり、拡大鏡装置を頭部から取り外すことなく、レンズを使用しない作業を行うことができる。また、操作ポイントが頭部から離れることになる伸縮機構が避けられ、支持部材の動作がスライド，回転，起伏の組合わせとなって操作ポイントが頭部の近くに集合されるため、合焦操作を常に容易に行うことができる効果がある。
【発明を実施するための最良の形態】
【００２３】
以下、本発明に係る拡大鏡装置を実施するための最良の形態を図面に基づいて説明する。本実施の形態では、頭部Ｍの額から側頭にかけて装着されるカチューシャタイプからなる拡大鏡装置を示してある。
【００２４】
本実施の形態の拡大鏡装置は、図１に示すように、頭部Ｍに装着する装着体１と、対象物を拡大視するためのレンズ２、３と、レンズ２、３を装着体１に支持する支持部材５と、対象物を照射する照明器６と、装着体１に対して回動して照明器６の照射方向を可変とする照明器取付部材７で構成されている。また、支持部材５にはレンズ２、３と連結するためのアタッチメント４が備えられる。
【００２５】
装着体１は、頭部Ｍの額から側頭にかけて装着するためのもので、ステンレス線等の耐腐食性の棒線材１１でほぼＵ字形のバネ構造に形成されている。装着体１はＵ字形のバネ構造を採用しているため、頭部Ｍに装着し、当接させた際、軽く押圧して頭部に対して確実に固定される。また、棒線材１１の両端部には、頭部Ｍの側頭を弾圧する小円柱形の弾圧ブロック１３が取付けられている。弾圧ブロック１３の内側面には、柔軟な弾力性材料からなるパッド１４が取付けられており、頭部Ｍに装着した際に額に対して密着し、振動などによりずれたりすることがない。
【００２６】
レンズ２は、対象物を拡大視する双眼形からなるもので、ガラス，合成樹脂材等で長方形に形成される。そして、図２に示すように２面の凸レンズ部２１の中央部分の側縁に突起形の取付部２２が設けられている。このレンズ２については、倍率の異なるものが複数個備えられる。双眼形のレンズ２は、両眼で見ることができるので、立体感、遠近感があり長時間の作業に便利である。
【００２７】
レンズ３は、対象物を拡大視する単眼形からなるもので、ガラス，合成樹脂材等で円形に形成される。そして、図１０に示すように１面の凸レンズ部３１の周囲の縁枠にコイル線筒からなる取付部３２が設けられている。このレンズ３については、倍率の異なるものが複数個備えられる。単眼のレンズは、左右どちらかの効き目で見ることでよりはっきり精密な作業が出来る。
【００２８】
アタッチメント４は、双眼形のレンズ２と支持部材５とを連結するもので、図２に示すように丸棒形の軸部４１と、軸部４１の一端部に設けられ双眼形のレンズ２の取付部２２に着脱可能に係合される爪片形の係合部４２と、軸部４１の他端部に設けられた面取部４３と、軸部４１の中途部に設けられた回止片４４とからなる。なお、レンズ２の取付部２２の係合部４２への係合は、回転自在とすることも可能である。これにより、スライド回転機構５１、起伏機構５２に加えた３点でレンズ２の位置や角度を調整することが可能となる。また、単眼形のレンズ３については、アタッチメント４が省略される。
【００２９】
支持部材５は、装着体１にレンズ２，３を支持するもので、前記装着体に取付られる部位である取付部５３と、取付部５３に対して少なくともスライド又は回転可能に設けられたスライド回転機構５１と、スライド回転機構５１に連続して設けられ前記装着体に対して起伏する起伏機構５２とを備える。また、支持部材５は、双眼形のレンズ２と単眼形のレンズ３とを交換可能に形成されている。
【００３０】
取付部５３は、棒線材１１の中央部分に取付けられており、棒線材１１の湾曲形状に沿った湾曲板形を呈している。そして、取付部５３には、スライド回転機構５１の一部（後述のスライド用軸５１１）が一体的に成形されている。取付部５３の内側面には、柔軟な弾力性材料からなるパッド１４が取付けられており、頭部Ｍに装着した際に額に対して密着し、振動などによりずれたりすることがない。
【００３１】
スライド回転機構５１は、装着体１の取付部５３から前方に突出された円筒形のスライド用軸５１１と、スライド用軸５１１の外側にスライド，固定可能かつ回動，固定可能に嵌合されるスライダ５１２とからなる。なお、スライダ５１２は、一部が切断されたバネ構造のリング形となっている。
【００３２】
起伏機構５２は、スライド回転機構５１のスライダ５１２の径方向の外側にスライダ５１２と一体的に成形された基片５２１と、基片５２１に対して起伏可能に連結された円筒形の起伏筒５２２と、基片５２１と起伏筒５２２を回動，固定可能に加圧構造で連結する枢支軸５２３とを備える。起伏筒５２２は基片５２１に対して長く、枢支軸５２３により起伏させた際のレンズ２、３の可動域は広くなるように形成されている。
【００３３】
そして、起伏筒５２２の先端部に切込み形成されたスリット５２４が設けられている。起伏機構５２の起伏筒５２２の先端部には、双眼形のレンズ２のアタッチメント４の軸部４１と単眼形のレンズ３の取付部３２とをそれぞれ抜差しにより着脱が可能になっている。また、軸部４１や取付部３２は、スリット５２４を押し広げるように挿入され、起伏筒５２２の内側面に押圧により係止される。また、スリット５２４には、アタッチメント４の回止片４４が差込まれ、レンズ２は左右方向に回転しないように固定される。
【００３４】
なお、起伏筒５２２を外周面から押圧するようにＯリング等を設けることも可能である。これにより、軸部４１や取付部３２は起伏筒５２２の内側面に確実に係止されることとなる。そして、Ｏリングは、起伏筒５２２に対して着脱自在、あるいは起伏筒５２２の長手方向に対して移動可能に設けられていることが好ましい。これにより、使用するレンズに応じてＯリングの位置等を変化させて、Ｏリングによる締め付けを調整することが可能となる。
【００３５】
例えば、レンズとして双眼形のレンズ２を用いる場合には、Ｏリングを取り外すあるいは枢支軸５２３付近に移動させることで、起伏筒５２２に対するＯリングによる締め付けを小さくすることができる。この場合、アタッチメント４の回止片４４が起伏筒５２２のスリット５２４に差し込まれることで軸部４１は固定される。また、レンズとして単眼形のレンズ３を用いる場合には、Ｏリングをスリット５２４の部分に移動させることで、起伏筒５２２に対するＯリングによる締め付けを大きくすることができる。レンズ３の取付部３２はコイル線筒からなるため、外周面に凹凸があり起伏筒５２２の内周面に対する抜け落ち抵抗となるが、Ｏリングをスリット５２４の部分に移動させることで、取付部３２は起伏筒５２２の内周面に固定され、抜け落ちがより確実に防止されることになる。
【００３６】
照明器６は、対象物を照明するもので、軽量化，小型化を図るためにＬＥＤ，ボタン電池（図示せず）を発光源としている。ＬＥＤ，ボタン電池は、筒形のケーシング６１に内蔵されている。ケーシング６１の端面には、照明を投光する投光レンズ６２が設けられている。ケーシング６１の周面の上部には、照明を点灯，消灯するスイッチ６３が設けられている。ケーシング６１の周面の下部には、照明器取付部材７に連結される軸構造の取付部６４が設けられている。
【００３７】
照明器取付部材７は、照明器６を支持部材５を介して装着体１に着脱可能に取付けるためのもので、略々円筒状の連結筒７１の一端に、照明器６を着脱可能に回動支持する軸受部７６が設けられる。
【００３８】
連結筒７１は、支持部材５に回転可能に雌雄嵌合されるもので、連結筒７１の一端には内部に被吸着筒７２が嵌合固定されている。被吸着筒７２は、照明器取付部材７を支持部材５に対して着脱自在に取り付けるためのもので、支持部材５側に設けられたマグネット７３に吸着する。また、連結筒７１の被吸着筒７２周りの小径部７４では、外周径が小さくなるように形成されている。
【００３９】
軸受部７６は、照明器６の照射方向を可変とする変向機構となる。具体的には、照明器６の取付部６４を着脱可能に回動支持する爪片形のものであり、連結筒７１に連続して設けられたフランジ７５に設けられる。フランジ７５は、連結筒７１の端面を閉塞するもので、支持部材５のスライド回転機構５１のスライド用軸５１１よりも外側へ突出する形状となっている。
【００４０】
本実施の形態の拡大鏡装置を使用するには、まず、図２に示すように、必要な倍率の双眼形のレンズ２を選択して、レンズ２の取付部２２をアタッチメント４の係合部３２に係合取付けする。そして、図３に示すように、レンズ２が取付けられたアタッチメント４の軸部を４１を支持部材５の起伏機構５２の起伏筒５２２に差込み取付けする。このとき、アタッチメント４の面取部４３は、軸部４１の支持部材５の起伏機構５２の起伏筒５２２への差込みを容易にする。また、アタッチメント４の回止片４４は、支持部材５の起伏機構５２のスリット５２４に差込まれて、レンズ２の左右方向の角度を固定することになる。
【００４１】
続いて、図４に示すように、支持部材５のスライド回転機構５１のスライド用軸５１１に嵌合させる。さらに、照明器取付部材７の連結筒７１を支持部材５のスライド回転機構５１のスライド用軸５１１に嵌合させる。このとき、照明器取付部材７の小径部７４は、連結筒７１の支持部材５のスライド回転機構５１のスライド用軸５１１への侵入を容易にする。また、照明器取付部材７の被吸着筒７２，マグネット７３は、吸着力によって、連結筒７１のスライド用軸５１１への侵入を助勢するとともに、連結筒７１をスライド用軸５１１から抜止めする。
【００４２】
この後、図５に示すように、装着体１を頭部Ｍに装着する。この装着では、装着体１の大部分が棒線材１１からなるため、全体が軽量化され頭部Ｍとの接触面積が低減される。従って、装着体１の重量感，違和感がなく良好な使用感が得られるとともに、頭部Ｍが大きく開放されて発汗による不快感を生ずることがない。
【００４３】
この形態の合焦操作では、図６に示すように、支持部材５のスライド回転機構５１のスライダ５１２をスライド用軸５１１の軸方向へスライドさせることで、レンズ２を光軸Ｌに沿って移動させ眼球Ｉからの距離ａ，ｂを調整し、レンズ２の前後方向の位置を可変することができる。また、図８に示すように、支持部材５のスライド回転機構５１のスライダ５１２をスライド用軸５１１を中心として回動させることで、レンズ２を光軸Ｌに直交する面で回転移動させ、レンズ２の左右方向の位置を可変することができる。また、図７に示すように、支持部材５の起伏機構５２の起伏筒５２２を起伏させることで、レンズ２を上下動させて、レンズ２の光軸Ｌに対する前後方向の角度を可変することができる。なお、前述のようにレンズ２の左右方向の角度が固定されているため、レンズ２の左右の眼球Ｉからの距離ａ，ｂが異なることはない。
【００４４】
この形態の合焦操作は、頭部Ｍに近い位置でスライド，回動，起伏の組合わせで行われることになる。従って、操作ポイントが頭部Ｍの近くに集合され、合焦操作を常に容易に行うことができることになる。この結果、頭部，眼球を煩雑に動かさずに対象物に正確に焦点を合わせることができ、長時間使用しても疲労することがなくなる。
【００４５】
なお、合焦操作に伴う各部の調整位置は、支持部材５のスライド回転機構５１のスライダ５１２のバネ構造や支持部材５の起伏機構５２の枢支軸５２３の加圧構造で保持され、不測に変動することはない。また、照明器取付部材７のフランジ７５は、支持部材５のスライド回転機構５１のスライダ５１２のスライド域を規制するとともに、スライド用軸５１１からのスライダ５１２の離脱を阻止する。
【００４６】
さらに、この形態では、照明器６を点灯させることで対象物を照明することができる。照明器６は、照明器取付部材７の軸受部７６に対する取付部６４の回動（図９参照）と、支持部材５のスライド回転機構５１のスライド用軸５１１に対する照明器取付部材７の連結筒７１の回動（図８参照）とによって、照明方向を自由に調整することができる。
【００４７】
さらに、この形態では、図１０に示すように、単眼形のレンズ３を使用することもできる。
【００４８】
単眼形のレンズ３は、双眼形のレンズ２と同様に倍率の異なる複数個から選択されるが、双眼形のレンズ２と相違してアタッチメント４を使用せずに支持部材５の起伏機構５２の起伏筒５２２に直接差込まれて取付けられる。また、取付部３２がコイル線筒からなるため、抵抗が大きく、起伏筒５２２からの抜け落ちを防止する。
【００４９】
単眼形のレンズ３を使用する場合の装着体１の頭部Ｍへの装着は、基本的に双眼形のレンズ２と相違することはない。ただし、支持部材５のスライド回転機構５１のスライダ５１２をスライド用軸５１１を中心として大きく回動させることで、レンズ３を左右の眼球Ｉのいずれかに選択的に配置することができる。
【００５０】
単眼形のレンズ３を使用する場合の合焦操作は、基本的に双眼形のレンズ２と相違することはない。ただし、支持部材５の起伏機構５２の起伏筒５２２に対してレンズ３の取付部３２を回動させることで、レンズ３の左右方向の角度を調整することができる。従って、単眼形のレンズ３の微妙な合焦操作を行うことができる。なお、レンズ３の取付部３２がネジのようなコイル線筒からなるため、取付部３２の回動を微妙に調整し調整状態を確実に保持することができる。
【００５１】
以上、図示した形態の外に、装着体１を頭部Ｍの全周に嵌込むようにすることも可能である。
【００５２】
さらに、レンズ２，３について、大きさの異なるものを複数個備えて選択使用することも可能である。
【図面の簡単な説明】
【００５３】
【図１】本発明に係る拡大鏡装置を実施するための最良の形態の斜視図である。
【図２】図１の要部の分解状態図である。
【図３】図２の組立状態図である。
【図４】図１の組立手順を示す側面図である。
【図５】図１の使用状態図である。
【図６】図１の合焦操作例を示す側面断面図である。
【図７】図１の他の合焦操作例を示す側面断面図である。
【図８】図１のさらに他の合焦操作例を示す正面断面図である。
【図９】図１の他の要部に動作を示す側面断面図である。
【図１０】図１の一部の交換使用例を示す図である。
【図１１】図１０の使用状態図である。
【符号の説明】
【００５４】
１            装着体
１１          棒線材
２            レンズ（双眼形）
３            レンズ（単眼形）
５            支持部材
５１          スライド回転機構
５２          起伏機構
５３          取付部
Ｉ            眼球
Ｍ            頭部
【図１】
2006113332.tif 000003
【図２】
2006113332.tif 000004
【図３】
2006113332.tif 000005
【図４】
2006113332.tif 000006
【図５】
2006113332.tif 000007
【図６】
2006113332.tif 000008
【図７】
2006113332.tif 000009
【図８】
2006113332.tif 000010
【図９】
2006113332.tif 000011
【図１０】
2006113332.tif 000012
【図１１】
2006113332.tif 000013